(57)【要約】  本発明は、外側リング（２）と、内側リング（３）と、外側リング（２）と内側リング（３）との間に介在された複数のころ要素（４）であって、トロイダルころ軸受（１）が、前記外側リング（２）と内側リング（３）との間の角度及び軸方向変位を可能にする、ころ要素（４）と、を備えるトロイダルころ軸受（１）に関する。さらに、軸受（１）は、ころ要素（４）を保持するためのケージ（５）を呈し、ケージ（５）は、外側リング（２）、内側リング（３）又はトロイダルころ軸受（１）の外側に位置付けられた独立要素（７）の少なくとも１つに対してころ要素（４）を軸方向にガイドするための手段（６）を呈する。
2015514949.tif 000002
【特許請求の範囲】
【請求項１】
−  外側リング（２）と、
−  内側リング（３）と、
−  前記外側リング（２）と前記内側リング（３）との間に介在された複数のころ要素（４）であって、トロイダルころ軸受（１）が、前記外側リング（２）と前記内側リング（３）との間の角度及び軸方向変位を可能にする、ころ要素（４）と、
−  前記ころ要素（４）を保持し且つ離すためのケージ（５）と、
を備えるトロイダルころ軸受（１）において、
−  前記ケージ（５）が、前記外側リング（２）、前記内側リング（３）又は前記トロイダルころ軸受（１）の外側に位置付けられた独立要素（７）の少なくとも１つに対して前記ころ要素（４）を軸方向にガイドするための手段（６）を呈することを特徴とするトロイダルころ軸受（１）。
【請求項２】
−  前記手段（６）が、前記外側リング（２）、前記内側リング（３）又は前記独立要素（７）の少なくとも１つに向かって径方向に延在する、前記ケージ（５）上の少なくとも１つの部分（６）であることを特徴とする請求項１に記載のトロイダルころ軸受（１）。
【請求項３】
−  前記独立要素（７）が、リングであることを特徴とする請求項１又は２に記載のトロイダルころ軸受（１）。
【請求項４】
−  前記外側リング（２）、前記内側リング（３）又は前記独立要素（７）の少なくとも１つが、前記外側リング（２）、前記内側リング（３）又は前記独立要素（７）の周方向に延在する少なくとも１つの表面（８）を呈し、前記表面（８）が、前記手段（６）を受けることができるよう意図され、それにより、前記ころ要素（４）を軸方向にガイドすることを特徴とする請求項１から３のいずれか一項に記載のトロイダルころ軸受（１）。
【請求項５】
−  前記少なくとも１つの表面（８）が、前記内側リング（３）及び／又は前記外側リング（２）の軸方向における少なくとも一端に位置付けられていることを特徴とする請求項３に記載のトロイダルころ軸受（１）。
【請求項６】
−  前記少なくとも１つの表面（８）が、その軸方向の延在部において；傾斜し、段付きであり、凹状であるか又は凸状であることを特徴とする請求項４又は５に記載のトロイダルころ軸受（１）。
【請求項７】
−  前記表面（８）が、前記手段と前記表面との間で滑らかな滑り接触を可能とするために、０．２０よりも小さい摩擦係数を有していることを特徴とする請求項４から６のいずれか一項に記載のトロイダルころ軸受（１）。
【請求項８】
−  請求項１から７のいずれか一項に記載のトロイダルころ軸受（１）と、
−  前記軸受（１）が取り付けられるシャフト（９）と、
を備える軸受装置であって、
−  前記シャフト（９）が、稼働中にその軸方向において振動するよう意図され、
−  前記シャフト（９）が、（９０−ｙ）°である角度αに位置決めされ、前記ｙが、０から８９の間であり、
−  前記転がり要素（４）が、稼働中に軸方向力Ｆにさらされることを特徴とする軸受装置。
【発明の詳細な説明】
【技術分野】
【０００１】
本発明は、トロイダルころ軸受に関する。トロイダルころ軸受は、その軸受リングの軸方向及び角度変位を許容するその能力のために公知である。
【背景技術】
【０００２】
第１の態様によれば、本発明は、トロイダルころ軸受に関する。第２の態様によれば、本発明は、トロイダルころ軸受及び軸受が取り付けられるシャフトを備える軸受装置に関する。
【０００３】
トロイダルころ軸受は、公知であり、且つその軸受リング（外側リング及び内側リング）の間の相対的な軸方向及び角度変位双方を可能にする能力のために何年も使用されている。トロイダルころ軸受の機能及び全体的な構造は、例えば特許文献１で説明されている。軸受の機能は、ころ要素の湾曲形状と一致するように構成された内側リング及び外側リングのレースウェイの湾曲構造によって可能とされる。従って、トロイダルころ軸受は、自動調心性能と大きな軸方向変位能力とを組み合わせる。
【０００４】
その特性に起因して、トロイダルころ軸受は、さまざまな軸受装置の設計において幅広い適用性を提供する。特に、トロイダルころ軸受は、例えば温度変化及び曲げにさらされる可能性がある長いシャフトを備える設計を簡素化する。さらに、トロイダルころ軸受の構造は、適切な荷重分配及び低摩擦稼働を可能にする。
【０００５】
異なる用途において生じる可能性があるトロイダルころ軸受を使用するときのいくつかの懸念事項が、発明者によって発見された。これら懸念事項は、例えば軸受内のケージによって引き起こされることが示されている。無負荷領域にある軸受内のころ要素は、ケージによって悪い方向に影響を及ぼされる可能性がある。例えば、ころは、無負荷領域にあるときに、ケージによってブレーキをかけられ、このことは、ころのスリップをもたらす。スリップが極めて大きくなると、ころ要素と軸受のレースウェイとの間に必要とされる潤滑膜が阻害されるか又はなくなりさえもするので、ころのスリップは、回避されるべきものである。これは、寿命を減少させることをもたらす。その無負荷領域にあるころに対して生じる可能性がある別の影響は、例えばケージによって引き起こされるころのスキューであり、スキューは、軸受における摩擦の増大、ケージ上での望ましくない力の増大又は軸受の構成要素の摩耗の増大をもたらす可能性がある。その無負荷領域にあるころに対して生じる可能性があるさらに別の影響は、ころがその軸方向において動かされることである。これは、ころの表面及びレースウェイ上での騒音及び損傷をもたらす可能性がある。
【先行技術文献】
【特許文献】
【０００６】
【特許文献１】欧州特許第０１７５８５８号明細書
【発明の概要】
【発明が解決しようとする課題】
【０００７】
本発明の目的は、従来技術の問題の少なくとも１つを克服することである。
【課題を解決するための手段】
【０００８】
第１の態様によれば、この目的は、新たなトロイダルころ軸受の構造を提供することによって達成される。トロイダルころ軸受は、外側リングと、内側リングと、外側リングと内側リングとの間に介在された複数のころ要素であって、トロイダルころ軸受が、前記外側リングと内側リングとの間の角度及び軸方向変位を可能にする、ころ要素と、を備える。さらに、軸受は、ころ要素を保持し且つ離すためのケージを備え、ケージは、外側リング、内側リング又はトロイダルころ軸受の外側に位置付けられた独立要素の少なくとも１つに対してころ要素を軸方向にガイドするための手段を呈する。
【０００９】
この構造により、ころは、軸受の稼働中に、軸方向にガイドされ、且つころをそれらの負荷及び無負荷領域において適切な位置に保つ。発明者によって、ころ要素のサイズ、従って重量が大きい場合、軸受リングの一方に対してケージによってころ要素を軸方向にガイドすることが特に有利であることが分かった。特に、軸受が水平でないシャフトに取り付けられる場合又はころ要素が軸方向力にさらされるときの状況では、ころ要素を負荷又は無負荷状態双方にあるときに適切な位置に保つようにころ要素をガイドすることが必要であることが分かった。別の一実施形態では、独立要素、例えばリングが、ケージに対する対応するガイド要素として使用されてもよい。リングは、例えば軸方向において軸受の外側に位置決めされてもよい。
【００１０】
この文献では、単語、軸方向及び径方向が使用される。本発明の示される実施形態のいずれに対しても別に記載されないかぎり、この単語は、トロイダルころ軸受及びケージの配置に言及する。軸方向は、ケージ及びころ軸受の中心点に交わり且つ軸受及びケージの径方向と垂直な仮想線をたどる方向を意味する。径方向は、軸受及びケージの中心点から始まる軸受及びケージの径方向を意味する。
【００１１】
トロイダルころ軸受の一実施形態では、手段が、外側リング、内側リング又は独立要素の少なくとも１つに向かって径方向に延在する、ケージ上の少なくとも１つの部分である。部分は、ケージの円周の一部に沿って延在してもよい。別の一実施形態では、部分は、ケージの円周に沿って延在している。いくつかの径方向に延在する部分がケージの円周の周囲に位置付けられてもよい。
【００１２】
トロイダルころ軸受の一実施形態では、外側リング、内側リング又は独立要素の少なくとも１つは、外側リング、内側リング又は独立要素の周方向に延在する少なくとも１つの表面を呈し、表面は、手段を受けることができるよう意図され、それにより、ころ要素を軸方向にガイドする。手段が少なくとも径方向に延在する部分であるケースでは、部分は、ケージがころ要素を軸方向にガイドすることができるように、表面と接触することができるように構成されている。
【００１３】
トロイダルころ軸受の一実施形態では、少なくとも１つの表面は、内側リング及び／又は外側リングの軸方向における少なくとも一端に位置付けられている。さらに、部分は、ケージの軸方向の端部に位置付けられ、従って、部分及び表面が互いに接触することができるように対応する場所に位置付けられてもよい。
【００１４】
トロイダルころ軸受の一実施形態では、少なくとも１つの表面は、その軸方向の延在部において傾斜し、段付きであり、凹状であるか又は凸状である。傾斜するか又は類似する形状の表面は、表面が、表面と接触している別の要素に対する軸方向の抵抗力を作り出すことができることをもたらす。軸方向の抵抗力は、手段、例えばケージ上の部分に対して作用し、このため、ころ要素がケージによって軸方向にガイドされる。表面は、任意の軸方向において軸方向の抵抗力を作り出すことができるのであればどのような他の形状を有してもよい。
【００１５】
一実施形態では、表面は、表面とケージの部分との間に効果的な潤滑膜を形成することに適している形状を呈する。例えば、表面が段付き面である場合、ケージの部分と表面との間の潤滑膜が改良される。これは、表面と、表面と接触するよう意図される部分の一部と、の間の摩擦係数の減少をもたらす。改良された潤滑膜を形成することに適している表面の他の例は、粗面、くぼみを呈する面などである。
【００１６】
トロイダルころ軸受の一実施形態では、表面は、手段と表面との間で滑らかな滑り接触を可能とするために、０．２０よりも小さい摩擦係数を有している。表面は、例えばスチール面上に滑らかな面粗さを提供すること又は表面上に低摩擦コーティングを提供することによって低摩擦係数を得てもよい。
【００１７】
本発明のトロイダル軸受は、多くの異なる用途、例えば風力タービン、製紙工場、製鋼工業、海洋用途、例えばポッド推進システムなどで使用することができる。
【００１８】
第２の態様によれば、目的は、第１の態様の実施形態のいずれかによるトロイダルころ軸受と、軸受が取り付けられるシャフトと、を備える軸受装置によって達成される。さらに、シャフトは、稼働中にその軸方向において振動するように意図されるか、もしくはシャフトは、（９０−ｙ）°である角度αに位置決めされ、ｙが０から８９の間であるか、又は転がり要素が、稼働中に軸方向力Ｆにさらされる。
【００１９】
第１の態様のすべての実施形態が第２の態様のすべての実施形態に利用可能であり、逆もまた同様である。
【００２０】
新たなトロイダル軸受は、軸方向力がころ要素に作用するときに特に有利である。軸方向力は、例えば軸受が水平でないシャフトに取り付けられる場合に、ころ要素に対して作用する。
【００２１】
以下に、複数の好ましい実施形態のより詳細な説明が記載される。本発明をより好ましく明確にするために、添付の図面は、縮尺通りに描かれず、いくつかのケースでは、特別な細部が誇張されている可能性があることに留意すべきである。さらに、特許請求の範囲に記載される本発明は、説明され且つ示される実施形態に限定されず、当業者には、特許請求の範囲内で修正が可能である。
【図面の簡単な説明】
【００２２】
【図１】本発明によるトロイダルころ軸受の断面図である。
【図２】本発明による別のトロイダルころ軸受の断面図である。
【図３】本発明による軸受装置の断面図である。
【図４ａ】本発明による内側リングの一部の断面図を示す。
【図４ｂ】本発明による内側リングの一部の断面図を示す。
【図４ｃ】本発明による内側リングの一部の断面図を示す。
【図４ｄ】本発明による内側リングの一部の断面図を示す。
【発明を実施するための形態】
【００２３】
図１には、本発明によるトロイダルころ軸受１の軸方向の断面図が開示されている。断面は、軸受１の軸線が平面内にある平面の断面である。トロイダルころ軸受１は、外側リング２、内側リング３、複数のころ要素４及びケージ５を備えている。トロイダルころ軸受１は、内側リング３に対する外側リング２の軸方向及び角度変位を可能にする。これは、リング２，３及びころ要素４の形態により可能となる。内側リング３及び外側リング２は、凹状のレースウェイ３１及び２１をそれぞれ呈し、ころ要素４は、対応する凸形状を呈する。レースウェイ２１，３１及びころ要素４の曲面半径は、中心軸線とレースウェイにおける表面２１及び３１との間の最大距離よりも実質的に大きい。ケージ５は、ころ４が設置される複数のころ用ポケット（図示せず）を有し、これにより、ころ４を互いから離す。さらに、ケージ５は、内側リング３に対してころ要素４を軸方向にガイドするための手段６を呈する。軸方向の案内は、外側リング２又は図２に示される独立要素７に対して行われてもよい。この実施形態では、手段６は、ケージ５上の部分６である。部分６は、内側リング上の表面８に対して径方向に延在している。この実施形態の表面８は、傾斜している。もしも軸方向力が、図１において軸受１の左側からころ要素のいずれかに作用するときには、部分６は、傾斜面８に最終的に接触し、それにより、ころ要素４を軸方向にガイドする。軸受１上に部分６がなく且つ軸方向力が軸受１に作用した場合、ころ要素４は、力の方向に動き、最終的に軸受１の機能が弱められ、例えば、転がり摩擦を増大させることをもたらす軸受１の制動力をもたらす。この実施形態では、１つの部分６が、軸受１の一方の側に位置付けられ、且つ内側リング３の表面８に向けられている。当然ながら、他の部分６が、例えば外側リング２に向けられ、且つ／又は軸受１の軸方向における他方の側に位置付けられてもよい。この例では、部分６が、軸方向において外側リング２の外側の位置に位置付けられている。別の実施形態では、部分６は、軸方向において外側リング３の軸方向の幅の内側に位置決めされてもよいことが理解されるであろう。さらに、表面８は、他の形状を有してもよい。表面８が傾斜形状である場合には、表面８は、一方向における軸方向力に対処することができる。しかしながら、表面８は、双方の方向における軸方向力に対処することができる形状、例えば軸受リングの一方上の溝を有してもよく、この場合、部分６は、双方の方向の軸方向力に対処することができるように、溝内に部分的に位置付けられる。
【００２４】
図２は、本発明の別の実施形態の断面図を示している。トロイダルころ軸受１は、外側リング２、内側リング３、複数のころ要素４及びケージ５を備えて開示されている。断面は、軸受１の軸線が平面内にある平面の断面である。さらに、ケージは、独立要素７に対してころ要素を軸方向にガイドするための手段６を呈し、独立要素７は、同様に、傾斜面８を呈し、傾斜面８には、手段６、例えばケージ５の部分６が接触することができる。この実施形態では、独立要素７は、内側リング３の軸方向における一方の側に位置付けられるが、要素７は、他の場所に位置付けられるか、又は１つよりも多い独立要素７が、例えば内側リング３の軸方向の他方の側もしくは外側リング２の軸方向の任意の側に位置付けられてもよい。さらに、表面８は、いずれか又は双方の方向における軸方向力に対処することができることをもたらすどのような形状を有してもよい。この例では、部分６は、軸方向において外側リング２の外側の位置に位置付けられている。別の実施形態では、部分６は、軸方向において外側リング３の軸方向の幅の内側に位置決めされてもよいことが理解されるであろう。
【００２５】
図３は、本発明による軸受装置１０の断面図を示している。断面は、軸受１の軸線が平面内にある平面の断面である。軸受装置１０は、外側リング２、内側リング３、複数のころ要素４及びケージ５を備えるトロイダルころ軸受１を呈する。さらに、装置は、シャフト９を備え、軸受１が、軸受１の内側リング３によってシャフト上に取り付けられている。この実施形態では、シャフトは、ころ要素４に作用する軸方向力成分をもたらす水平でない角度αに位置決めされる。ケージ５は、軸受１の径方向に延在する部分６を呈し、内側リング３は、傾斜面８を呈する。部分６は、軸方向力がシャフト９の角度αに起因してころ要素４に作用するときに表面８を介してころ要素４を軸方向にガイドする。ころ要素に作用する力は、ころ要素４がリング２及び３に対して軸方向にずらされるように所定の大きさである必要があり、これにより、部分及び表面８を互いに接触させる。
【００２６】
図４ａから図４ｄは、表面８の実施形態の断面図を示している。この例では、表面８は、トロイダルころ軸受の内側リング３上に位置付けられる。図４ａは、凹状面８の例を示している。図４ｂは、段付き面８の例を示している。段付き面８は、１段よりも多くてもよい。図４ｃは、傾斜面の例を示し、図４ｄは、凸状面の例を示している。
【符号の説明】
【００２７】
１  トロイダルころ軸受、２  外側リング、３  内側リング、４  ころ要素、５  ケージ、６  手段、７  独立要素、８  表面、９  シャフト
【図１】
2015514949.tif 000003
【図２】
2015514949.tif 000004
【図３】
2015514949.tif 000005
【図４ａ】
2015514949.tif 000006
【図４ｂ】
2015514949.tif 000007
【図４ｃ】
2015514949.tif 000008
【図４ｄ】
2015514949.tif 000009
【国際調査報告】
2015514949.tif 000010
2015514949.tif 000011
2015514949.tif 000012